【手続補正書】
【提出日】平成31年4月12日(2019.4.12)
【手続補正１】
【補正対象書類名】特許請求の範囲
【補正対象項目名】全文
【補正方法】変更
【補正の内容】
【特許請求の範囲】
【請求項１】
ワイヤレス通信のための方法において、
ダウンリンクリソースに基づいて、より広いシステム帯域幅内で１つまたは複数のアップリンク狭帯域領域を識別することと、
前記識別されたアップリンク狭帯域領域の少なくとも１つを用いて通信することと、
を備える方法。
【請求項２】
前記アップリンク狭帯域領域は６つのリソースブロック（ＲＢｓ）未満を備える、請求項１の方法。
【請求項３】
前記識別することは、サイクリックシフトに基づいてアップリンクリソースへのダウンリンクリソースのマッピングを備える、請求項１の方法。
【請求項４】
前記識別することはダウンリンクメッセージの第１のコントロールチャネルエレメント（ＣＣＥ）のインデックスに基づく、請求項１の方法。
【請求項５】
前記ダウンリンクメッセージはマシンタイプ通信（ＭＴＣ）物理ダウンリンクコントロールチャネル（ＭＰＤＣＣＨ）メッセージを備える、請求項４の方法。
【請求項６】
前記識別することは、
周波数ホッピングパターンに従って異なるサブフレームにおけるアップリンク狭帯域領域を識別することを備える、請求項１の方法。
【請求項７】
前記周波数ホッピングパターンは前記システム帯域幅のエッジで狭帯域領域をミラーリングすることを生じる、請求項６の方法。
【請求項８】
前記周波数ホッピングパターンは多数の連続するサブフレームに対して固定されている狭帯域領域を生じる、請求項６の方法。
【請求項９】
ダウンリンクリソースに基づいて、より広いシステム帯域幅内で１つまたは複数のアップリンク狭帯域領域を識別する手段と、
前記識別されたアップリンク狭帯域領域の少なくとも１つを用いて通信することを備える、ワイヤレス通信のための装置。
【請求項１０】
前記アップリンク狭帯域領域は６つのリソースブロック（ＲＢｓ）未満を備える、請求項９の装置。
【請求項１１】
前記識別する手段は、サイクリックシフトに基づいてアップリンクリソースへのダウンリンクリソースのマッピングを利用する手段を備える、請求項９の装置。
【請求項１２】
前記識別することは、ダウンリンクメッセージの第１のコントロールチャネルエレメント（ＣＣＥ）のインデックスに基づく、請求項９の装置。
【請求項１３】
前記ダウンリンクメッセージはマシンタイプ通信（ＭＴＣ）物理ダウンリンクコントロールチャネル（ＰＤＣＣＨ）メッセージを備える、請求項１２の装置。
【請求項１４】
前記識別する手段は、周波数ホッピングパターンに従って異なるサブフレームにおいてアップリンク狭帯域領域を識別することを備える、請求項９の装置。
【請求項１５】
１つまたは複数のプロセッサにより実行されると、前記プロセッサに、請求項１乃至８の何れか１項に従う方法を実行させる命令を備えるコンピュータ可読媒体。
【手続補正２】
【補正対象書類名】明細書
【補正対象項目名】００５７
【補正方法】変更
【補正の内容】
【００５７】
[0069]本開示の先の説明は、当業者が本開示を製造または使用することを可能にするために提供される。本開示に対するさまざまな変更は、当業者に容易に理解され、ここで定義される一般的な原理は、本開示の主旨および範囲から逸脱することなく、他の変化に適用されることができる。従って、本開示は、本明細書に記載された例および設計に制限されることを意図せず、本明細書に開示された原理および新規な特徴に合致する最も広い範囲が与えられるべきである。
以下に、本願出願の当初の特許請求の範囲に記載された発明を付記する。
［Ｃ１］
ワイヤレス通信のための方法において、
ダウンリンクリソースに基づいてより広いシステム帯域幅内で１つまたは複数のアップリンク狭帯域領域を識別することと、
前記識別された狭帯域の少なくとも１つを用いて通信することと、
を備える方法。
［Ｃ２］
前記狭帯域領域は６つのリソースブロック（ＲＢｓ）未満を備える、［Ｃ１］の方法。
［Ｃ３］
前記識別することは、サイクリックシフトに基づいてアップリンクリソースへのダウンリンクリソースのマッピングを備える、［Ｃ１］の方法。
［Ｃ４］
前記識別することはダウンリンクメッセージの第１のコントロールチャネルエレメント（ＣＣＥ）のインデックスに基づく、［Ｃ１］の方法。
［Ｃ５］
前記ダウンリンクメッセージはマシンタイプ通信（ＭＴＣ）物理ダウンリンクコントロールチャネル（ＭＰＤＣＣＨ）メッセージを備える、［Ｃ４］の方法。
［Ｃ６］
前記識別することは、
周波数ホッピングパターンに従って異なるサブフレームにおけるアップリンク狭帯域領域を識別することを備える、［Ｃ１］の方法。
［Ｃ７］
前記周波数ホッピングパターンは前記システム帯域幅のエッジで狭帯域領域をミラーリングすることを生じる、［Ｃ６］の方法。
［Ｃ８］
前記周波数ホッピングパターンは多数の連続するサブフレームに対して固定されている狭帯域領域を生じる、［Ｃ６］の方法。
［Ｃ９］
無線通信のための装置において、
ダウンリンクリソースに基づいて、より広いシステム帯域幅内で１つまたは複数のアップリンク狭帯域領域を識別するように構成された少なくとも１つのプロセッサと、
前記識別された狭帯域の少なくとも１つを用いて通信するように構成されたトランシーバと、
前記少なくとも１つのプロセッサに結合されたメモリと、
を備える、装置。
［Ｃ１０］
前記狭帯域領域は６つのリソースブロック（ＲＢｓ）未満を備える、［Ｃ１０］の装置。
［Ｃ１１］
前記識別することはサイクリックシフトに基づいてアップリンクリソースへのダウンリンクリソースのマッピングを利用することを備える、［Ｃ１０］の装置。
［Ｃ１２］
前記識別することはダウンリンクメッセージの第１のコントロールチャネルエレメント（ＣＣＥ）のインデックスに基づく、［Ｃ１０］の装置。
［Ｃ１３］
前記ダウンリンクメッセージはマシンタイプ通信（ＭＴＣ）物理ダウンリンクコントロールチャネル（ＭＰＤＣＣＨ）メッセージを備える、［Ｃ１２］の装置。
［Ｃ１４］
前記識別することは、
周波数ホッピングパターンに従って異なるサブフレームにおいてアップリンク狭帯域領域を識別することを備える、［Ｃ１０］の装置。
［Ｃ１５］
前記周波数ホッピングパターンは前記システム帯域幅のエッジにおいて狭帯域領域をミラーリングすることを生じする［Ｃ１４］の装置。
［Ｃ１６］
前記周波数ホッピングパターンは多数の連続するサブフレームに対して固定されている狭帯域領域を生じる、［Ｃ１４］の装置。
［Ｃ１７］
ダウンリンクリソースに基づいてより広いシステム帯域幅内で１つまたは複数のアップリンク領域を識別する手段と、
前記識別された狭帯域の少なくとも１つを用いて通信することを備える、ワイヤレス通信のための措置。
［Ｃ１８］
前記狭帯域領域は６つのリソースブロック（ＲＢｓ）未満を備える、［Ｃ１７］の装置。
［Ｃ１９］
前記識別する手段は、サイクリックシフトに基づいてアップリンクリソースへのダウンリンクリソースのマッピングを利用する手段を備える、［Ｃ１７］の装置。
［Ｃ２０］
前記識別することは、ダウンリンクメッセージの第１のコントロールチャネルエレメント（ＣＣＥ）のインデックスに基づく、［Ｃ１７］の装置。
［Ｃ２１］
前記ダウンリンクメッセージはマシンタイプ通信（ＭＴＣ）物理ダウンリンクコントロールチャネル（ＰＤＣＣＨ）メッセージを備える、［Ｃ２０］の装置。
［Ｃ２２］
前記識別する手段は、周波数ホッピングパターンに従って異なるサブフレームにおいてアップリンク狭帯域領域を識別することを備える、［Ｃ１７］の装置。
［Ｃ２３］
前記周波数ホッピングパターンは前記システム帯域幅のエッジで狭帯域領域をミラーリングすることを生じる、［Ｃ２２］の装置。
［Ｃ２４］
前記周波数ホッピングパターンは多数の連続するサブフレームに対して固定されている狭帯域領域を生じる、［Ｃ２２］の装置。
［Ｃ２５］
１つまたは複数のプロセッサにより実行されると、動作を実行する命令を備えるコンピュータ可読媒体において、前記動作は、
ダウンリンクリソースに基づいてより広いシステム帯域幅内で１つまたは複数のアップリンク狭帯域を識別することと、
前記識別された狭帯域の少なくとも１つを用いて通信することを備える、コンピュータ可読媒体。
［Ｃ２６］
前記狭帯域領域は６つのリソースブロック（ＲＢｓ）未満を備える、［Ｃ２５］のコンピュータ可読媒体。
［Ｃ２７］
前記識別することはサイクリックシフトに基づいてアップリンクリソースへのダウンリンクリソースのマッピングを利用することを備える、［Ｃ２５］のコンピュータ可読媒体。
［Ｃ２８］
前記識別することはダウンリンクメッセージの第１のコントロールチャネルエレメント（ＣＣＥ）のインデックスに基づく、［Ｃ２５］のコンピュータ可読媒体。
［Ｃ２９］
前記識別することは、
周波数ホッピングパターンに従って異なるサブフレームにおけるアップリンク狭帯域領域を識別することを備える、［Ｃ２５］のコンピュータ可読媒体。
［Ｃ３０］
前記周波数ホッピングパターンは、
前記システム帯域幅のエッジにおいて狭帯域領域をミラーリングすること、または
前記狭帯域領域は多数の連続するサブフレームに対して固定されている
の少なくとも１つを生じる、［Ｃ２９］のコンピュータ可読媒体。